(57)【特許請求の範囲】
【請求項１】
角筒形の周壁の一方開口および他方開口がそれぞれ蓋で閉塞されかつ主収容物およびシート状物体が収容される包装容器であって、
前記周壁を構成する多数の壁部のうちの一つ（第１壁部）の内面には、シート状物体を出し入れ可能に収容するためのポケットが設けられており、
前記ポケットは、前記第１壁部とそれの内面に重ね合わされるように取り付けられる内板との間に設けられる隙間とされており、
当該隙間における前記一方開口側は開放されていて、前記隙間における前記他方開口側は閉塞されており、
前記一方開口側の蓋は、前記周壁において前記第１壁部と対向配置される第２壁部の前記一方開口側に連接されるもので、かつ前記第２壁部との連接部位で谷折りされることによって前記一方開口を閉塞する状態になる蓋本体と、当該蓋本体の先端に延出されかつ前記蓋本体との連接部位で谷折りされることによって前記第１壁部の外面に重ね合わされる状態になる貼付片とを有し、
前記第１壁部において前記一方開口側には、当該一方開口側の蓋の開封前に、前記一方開口側の端縁から前記他方開口側へ向けて入り込んだ所定位置までの領域を切取可能とするための切取ミシン目が設けられており、
前記貼付片は、前記一方開口側の蓋の開封前に、前記第１壁部において前記切取可能となる領域に接着されており、
前記内板は、前記第１壁部における前記一方開口側に連接されるとともに当該連接部位およびその周辺の所定領域に孔が設けられるもので、かつ前記第１壁部との連接部位で谷折りされることによって前記第１壁部の内面に重ね合わされており、
この内板において前記他方開口寄りの位置と前記周壁の周方向に対応する幅方向の一辺寄り位置および他辺寄り位置との合計３ヶ所には、切り込みが設けられており、当該内板において各切り込みの近傍領域が前記第１壁部の内面に貼り付けられており、
この貼付片が引っ張られて捲られたときに、前記第１壁部において前記切取可能となる領域が切り取られることになって前記ポケット内に差し入れられるシート状物体の差し入れ方向後端側が外側と内側とに露呈される状態になる、ことを特徴とする包装容器。
【請求項２】
請求項１に記載の包装容器は、一枚のシートから所定形状に打ち抜き加工されたブランクを折り曲げるとともに貼り合わせることにより製作されるものであって、
前記周壁は、四つの矩形状の壁部（前記第１壁部に相当する上壁部、前記第２壁部に相当する下壁部、左壁部、右壁部）で構成され、
前記一方開口側の蓋は、前記下壁部の前端に折り目を介して連接される前蓋とされ、
前記他方開口側の蓋は、前記下壁部の後端に折り目を介して連接される後蓋とされ、
前記内板は、前記上壁部の前端に折り目を介して連接され、かつ当該折り目で谷折りされることにより前記上壁部の内面に重ね合わされるとともに、当該重ね合わせ部分において先端寄り位置が接着されており、
前記切取ミシン目は、前記前蓋の開封前に、前記上壁部の前端側領域において前記内板との連接部位から後端側へ向けて入り込んだ所定位置までの領域を切取可能とするようにコ字形に形成されており、
前記内板および前記上壁部には、それらの境界から前記内板側と前記上壁部側との両方に向けて広がる矩形状の孔が設けられており、
この孔は、前記前蓋を開放することに伴い前記領域が切り取られたときに、当該切り取り跡と連なって、前記ポケット内に差し入れられるシート状物体の差し入れ方向後端側を外側と内側とに露呈するための切り欠きを作る、ことを特徴とする包装容器。
【発明の詳細な説明】
【技術分野】
【０００１】
本発明は、角筒形の周壁の一方開口および他方開口がそれぞれ蓋で閉塞されかつ主収容物およびシート状物体が収容される包装容器に関する。
【背景技術】
【０００２】
この種の包装容器としては、例えば特許文献１〜３に示すようなものがある。
【０００３】
特許文献１に示す包装容器の内部空間は、１つになっている。この包装容器は、内部空間が１つしかないので、当該包装容器に、薬品やお菓子などの主収容物だけでなく、前記主収容物に関連する説明書（折り畳んだ紙など）、おまけ用シールまたはカードなどのシート状物体も収容する場合には、前記単一の内部空間に前記主収容物と前記シート状物体とを一緒に収容することになる。
【０００４】
その場合、前記包装容器を開封して前記主収容物を取り出す際に、当該主収容物と一緒に前記シート状物体も引っ張り出されてしまうことが懸念される。仮に、取り出し者が前記シート状物体の存在を意識していない場合には、前記主収容物と一緒に引っ張り出されたシート状物体を落としてしまうおそれがある。
【０００５】
これに対し、特許文献２，３に示す包装容器は、その内部空間に中仕切片または中仕切板を設けることで当該内部空間が２つになっている。これらの包装容器では、内部空間が２つあるので、当該包装容器に前記主収容物と前記シート状物体とを収容する場合には、前記２つの内部空間に前記主収容物と前記シート状物体とを別々に振り分けて収容することが可能になる。
【先行技術文献】
【特許文献】
【０００６】
【特許文献１】特開２０１０−１５９０５９号公報
【特許文献２】特開２００９−２６９６４４号公報
【特許文献３】特開２００８−２５４７９５号公報
【発明の概要】
【発明が解決しようとする課題】
【０００７】
上記特許文献２の包装容器は、妻板片（前板）と中仕切片とで作る内部空間の上部開口が、四角筒形の周壁の上部開口と面一になっているために、前記内部空間にシート状物体を収容している場合には、前記包装容器を開封して前記主収容物を取り出す際に、当該主収容物と一緒に前記シート状物体が取り出されなくなると言えるものの、逆に前記シート状物体のみを手で掴みにくいために取り出しにくくなっていると言える。
【０００８】
上記特許文献３の包装容器は、係止板を開放すると、上面板の取出切欠部から包み紙（シート状物体）の差し入れ方向後端側が外側に露呈するようになっているものの、この包み紙の差し入れ方向後端側の内側に中仕切板が存在しているために、この包み紙を取り出すときには、包み紙の差し入れ方向後端側を外側からのみ指でつまんで引っ張り出さなければならない。そのとき、包み紙をその厚み方向両方から掴むことができないので、この包み紙を取り出しにくいなど、ここに改良の余地がある。
【０００９】
このような事情に鑑み、本発明は、角筒形の周壁の一方開口および他方開口がそれぞれ蓋で閉塞されかつ主収容物およびシート状物体が収容される包装容器において、前記一方開口側の蓋を開放して内部空間から主収容物を取り出す際に当該主収容物と一緒にシート状物体が取り出されないようにしたうえで、当該シート状物体を単体で比較的簡単に引き出せるようにすることを目的としている。
【課題を解決するための手段】
【００１０】
本発明は、角筒形の周壁の一方開口および他方開口がそれぞれ蓋で閉塞されかつ主収容物およびシート状物体が収容される包装容器であって、前記周壁を構成する多数の壁部のうちの一つ（第１壁部）の内面には、シート状物体を出し入れ可能に収容するためのポケットが設けられており、前記ポケットは、前記第１壁部とそれの内面に重ね合わされるように取り付けられる内板との間に設けられる隙間とされており、当該隙間における前記一方開口側は開放されていて、前記隙間における前記他方開口側は閉塞されており、前記一方開口側の蓋は、前記周壁において前記第１壁部と対向配置される第２壁部の前記一方開口側に連接されるもので、かつ前記第２壁部との連接部位で谷折りされることによって前記一方開口を閉塞する状態になる蓋本体と、当該蓋本体の先端に延出されかつ前記蓋本体との連接部位で谷折りされることによって前記第１壁部の外面に重ね合わされる状態になる貼付片とを有し、前記第１壁部において前記一方開口側には、当該一方開口側の蓋の開封前に、前記一方開口側の端縁から前記他方開口側へ向けて入り込んだ所定位置までの領域を切取可能とするための切取ミシン目が設けられており、前記貼付片は、前記一方開口側の蓋の開封前に、前記第１壁部において前記切取可能となる領域に接着されており、前記内板は、前記第１壁部における前記一方開口側に連接されるとともに当該連接部位およびその周辺の所定領域に孔が設けられるもので、かつ前記第１壁部との連接部位で谷折りされることによって前記第１壁部の内面に重ね合わされており、この内板において前記他方開口寄りの位置と前記周壁の周方向に対応する幅方向の一辺寄り位置および他辺寄り位置との合計３ヶ所には、切り込みが設けられており、当該内板において各切り込みの近傍領域が前記第１壁部の内面に貼り付けられており、この貼付片が引っ張られて捲られたときに、前記第１壁部において前記切取可能となる領域が切り取られることになって前記ポケット内に差し入れられるシート状物体の差し入れ方向後端側が外側と内側とに露呈される状態になる、ことを特徴としている。
【００１１】
なお、前記主収容物は、薬品やお菓子などが挙げられる。また、前記シート状物体としては、前記主収容物に関連する説明書（折り畳んだ紙など）、おまけ用シールまたはカードなどが挙げられ、さらには前記主収容物をチューイングガムとする場合には当該チューイングガムの廃棄用包み紙が挙げられる。
【００１２】
この構成では、例えば前記包装容器の内部空間に前記主収容物を収容し、前記ポケットに前記シート状物体を収容することが可能になる。これにより、前記主収容物と前記シート状物体とが別々に分かれて収容されることになるので、前記包装容器を開封して、その内部空間から前記主収容物を取り出す際に、当該主収容物と一緒に前記シート状物体が取り出されなくなる。
【００１３】
しかも、前記一方開口側の蓋を開放すると、前記第１壁部において切り取り可能な領域が切り取られることになって、当該切り取り跡から前記ポケット内に差し入れられているシート状物体の差し入れ方向後端側が外側と内側との両方に露呈するようになる。これにより、前記ポケット内に差し入れられているシート状物体をその厚み方向両方から作業者が比較的簡単に掴むことが可能になって、引っ張り出しやすくなる。
【００１５】
さらにまた、上記構成では、前記内板が前記周壁と一体に連接されているから、別体である場合に比べて部品点数が少なくなるなど、製造コストの上昇を抑制できるようになる。
【００１６】
なお、上記包装容器は、一枚のシートから所定形状に打ち抜き加工されたブランクを折り曲げるとともに貼り合わせることにより製作されるものであって、前記周壁は、四つの矩形状の壁部（前記第１壁部に相当する上壁部、前記第２壁部に相当する下壁部、左壁部、右壁部）で構成され、前記一方開口側の蓋は、前記下壁部の前端に折り目を介して連接される前蓋とされ、前記他方開口側の蓋は、前記下壁部の後端に折り目を介して連接される後蓋とされ、前記内板は、前記上壁部の前端に折り目を介して連接され、かつ当該折り目で谷折りされることにより前記上壁部の内面に重ね合わされるとともに、当該重ね合わせ部分において先端寄り位置が接着されており、前記切取ミシン目は、前記前蓋の開封前に、前記上壁部の前端側領域において前記内板との連接部位から後端側へ向けて入り込んだ所定位置までの領域を切取可能とするようにコ字形に形成されており、前記内板および前記上壁部には、それらの境界から前記内板側と前記上壁部側との両方に向けて広がる矩形状の孔が設けられており、この孔は、前記前蓋を開放することに伴い前記領域が切り取られたときに、当該切り取り跡と連なって、前記ポケット内に差し入れられるシート状物体の差し入れ方向後端側を外側と内側とに露呈するための切り欠きを作る、ものとすることができる。
【００１７】
この構成では、前記ポケット付の包装容器を、一枚のシートから打ち抜き、折り曲げ、貼り付け作業を経て製作されるものであることを特定しており、この特定により比較的安価かつ簡単に製作可能になることが明らかになる。
【発明の効果】
【００１８】
本発明に係る包装容器は、前記一方開口側の蓋を開放して内部空間から主収容物を取り出す際に当該主収容物と一緒にシート状物体が取り出されなくなる一方で、当該シート状物体を単体で比較的簡単に引き出すことが可能になる。
【図面の簡単な説明】
【００１９】
【図１】本発明に係る包装容器の一実施形態で、前蓋を開放した状態を示す斜視図である。
【図２】図１の包装容器に主収容物、シート状物体を収容する様子を示す斜視図である。
【図３】図１の包装容器の平面図である。
【図４】図３の（４）−（４）線断面の矢視図である。
【図５】図１の包装容器において前蓋を閉じた状態を示す斜視図である。
【図６】図１の包装容器のベースとして、一枚のシートを打ち抜き加工してなるブランクを示す展開図である。
【図７】図６のブランクの組立手順の初期段階を示す図である。
【図８】図７の続きを示す工程図である。
【図９】図８の続きを示す工程図である。
【図１０】図９の続きを示す工程図である。
【図１１】図５の包装容器において前蓋を開封した後で再度閉じた状態を示す斜視図である。
【発明を実施するための形態】
【００２０】
以下、本発明を実施するための最良の実施形態について添付図面を参照して詳細に説明する。
【００２１】
図１から図１１に、本発明の一実施形態を示している。図中、１は横置きあるいは横長タイプの包装容器を示している。
【００２２】
包装容器１は、角筒形の周壁２の前方開口（出し入れ口）を前蓋７で、また、周壁２の後方開口を後蓋８でそれぞれ閉塞する構成になっており、主収容物２０およびシート状物体３０が収容されるようになっている。
【００２３】
主収容物２０は、例えば薬品やお菓子などとされ、周壁２と前蓋７と後蓋８とで囲まれる内部空間１ａに収容される。シート状物体３０は、前記主収容物２０に関連する説明書（折り畳んだ紙など）、おまけ用シールまたはカードなどとされ、下記するポケット１４に収容される。
【００２４】
周壁２は、上下左右の４つの長方形の壁部、つまり上壁部（第１壁部に相当）３、下壁部（第２壁部に相当）４、左壁部５、右壁部６を有している。上壁部３および下壁部４のほうが左壁部５および右壁部６よりも幅広に設定されている。
【００２５】
下壁部４の長手方向一端側（前端側）には前蓋７が一体に連接されており、また、下壁部４の長手方向他端側（後端側）には後蓋８が一体に連接されている。
【００２６】
前蓋７は、矩形状の蓋本体７ｂに矩形状の貼付片７ａを一体に連接した構成になっている。蓋本体７ｂは、下壁部４との連接部位で谷折りされることによって内部空間１ａの前方開口を閉塞する状態にされる。貼付片７ａは、蓋本体７ｂとの連接部位で谷折りされることによって上壁部３の外面（表面）に重ね合わされて接着される状態にされる。
【００２７】
また、下壁部４の一方長辺には、側方糊代板９が一体に連接されている。この側方糊代板９は、後蓋８の内面（裏面）が接着されるもので、幅狭な長方形に形成されている。
【００２８】
左壁部５および右壁部６の長手方向一端側（前端側）には前フラップ１１ａ，１１ｂが一体に連接されており、また、左壁部５および右壁部６の長手方向他端側（後端側）には後フラップ１２ａ，１２ｂが一体に連接されている。
【００２９】
上壁部３の前端には内板１３が一体に連接されており、また、上壁部３の後端には、後蓋８の内面が接着される後方糊代板１０が一体に連接されている。
【００３０】
そして、上壁部３の内面には、シート状物体３０を出し入れ可能に収容するためのポケット１４が設けられている。
【００３１】
このポケット１４は、上壁部３とそれの内面に重ね合わされるように接着される内板１３との間に設けられる隙間とされている。この隙間における前蓋７側は開放されていて、前記隙間における後蓋８側は閉塞されている。
【００３２】
また、前蓋７の開封後において、上壁部３の前端側には、後端側へ入り込む切り欠き３ａが形成されていて、この切り欠き３ａによって内板１３の前端側の領域が外側に露呈される状態になる。なお、この切り欠き３ａは、前蓋７の開封前には下記するようなことから存在していない。
【００３３】
さらに、前蓋７の貼付片７ａの自由端側短辺の中間領域には、爪状係止片７ｃが設けられている。この爪状係止片７ｃは、長方形になっていて、その幅方向両端には切り込み７ｄが設けられている。この爪状係止片７ｃは、前蓋７を開放した後で再度閉じるときに、図１１に示すように、ポケット１４の前側に差し入れられるが、その状態においては爪状係止片７ｃの両側の切り込み７ｄを上壁部３に挟みつけるようにすることで、前蓋７が閉じたままの状態に保持されるようになる。
【００３４】
次に、図６〜図１０を参照して、上記包装容器１の組み立て手順を説明する。
【００３５】
組み立てに先立ち、一枚のシート（コートボール）から図６に示すような所定形状に打ち抜き加工されたブランク１００を用意する。図６では、ブランク１００の裏面つまり組立後の包装容器１の内面となる面を上向きにしている。ブランク１００の表面は包装容器１の外面となる。
【００３６】
図６に示すブランク１００は、下壁部４の左側長辺に側方糊代板９が第１折り目１０１を介して連接されており、また、下壁部４の右側長辺に右壁部６、上壁部３ならびに左壁部５がそれぞれ第２、第３、第４折り目１０２，１０３，１０４を介して順に連接されている。
【００３７】
下壁部４の前端には前蓋７が第５折り目１０５を介して連接されており、また、下壁部４の後端には後蓋８が第６折り目１０６を介して連接されている。左壁部５および右壁部６の前端には前フラップ１１ａ，１１ｂが第７、第８折り目１０７，１０８を介して連接されており、また、左壁部５および右壁部６の後端には後フラップ１２ａ，１２ｂがそれぞれ第９、第１０折り目１０９，１１０を介して連接されている。上壁部３の前端には内板１３が第１１折り目１１１を介して連接されており、また、上壁部３の後端には後方糊代板１０が第１２折り目１１２を介して連接されている。
【００３８】
上壁部３の前端側には、前蓋７の開封前に、内板１３との連接部位から後端側へ向けて入り込んだ所定位置までの領域３ｃを切取可能とするためのコ字形の切取ミシン目３ｄが設けられている。また、上壁部３の後端には、後蓋８を開放するときに作業者の指を引っ掛けやすくして切取可能とするための部分円形の切取ミシン目３ｄが設けられている。
【００３９】
内板１３および上壁部３には、それらの境界から内板１３側と上壁部３側との両方に広がる矩形状の孔１３ａが設けられている。この孔１３ａは、前蓋７を開放したときに、ポケット１４内に差し入れられるシート状物体３０を作業者が掴みやすくするための切り欠き３ａを作るために設けられている。内板１３の左右長辺の長手方向中間位置と先端寄り位置との合計３ヶ所には、切り込み１３ｂ，１３ｃ，１３ｄが設けられている。
【００４０】
このようなブランク１００において、まず、内板１３を図６の第１１折り目１１１で１８０度谷折りすることにより、図７に示すように、内板１３の内面を上壁部３の内面に重ね合わせるとともに、当該重ね合わせ部分において内板１３の左右２つの切り込み１３ｂ，１３ｃと先端寄りの１つの切り込み１３ｄとを適宜の接着剤を用いて接着する。これにより、上壁部３と内板１３との間に隙間からなるポケット１４が形成され、このポケット１４の左右および後蓋８側が閉塞された状態になるが、ポケット１４の前蓋７側は孔１３ａによって開放された状態になる。
【００４１】
なお、内板１３は、その左右２つの切り込み１３ｂ，１３ｃの外側領域（図３、図４の１５参照）と、先端寄りの１つの切り込み１３ｄの後側領域（図３、図４の１６参照）との外面を上壁部３の内面に接着するようにしているから、図４に示すように、内板１３の内面を上壁部３の内面から離すように外力を加えると、切り込み１３ｂ，１３ｃ，１３ｄの存在によって内板１３において前記接着されている３つの領域１５，１６を除く領域が上壁部３の内面から比較的簡単に浮くようになるので、この内板１３と上壁部３との間の隙間からなるポケット１４内にシート状物体３０を差し入れやすくなっている。
【００４２】
次いで、下壁部４の側方糊代板９を第１折り目１０１で１８０度谷折りすることにより下壁部４の内面に重ね合わせておいて、第３折り目１０３を１８０度谷折りすることにより下壁部４および右壁部６に対して左壁部５および上壁部３を重ね合わせてから、下壁部４の側方糊代板９の外面に左壁部５の内面を適宜の接着剤を用いて接着する。そして、下壁部４を下に配置したまま、第２、第４折り目１０２，１０４を９０度谷折りすることにより、図８に示すように、下壁部４、右壁部６、上壁部３ならびに左壁部５を角筒形状にする。
【００４３】
この後、右壁部６および左壁部５の各後フラップ１２ａ，１２ｂを第９、第１０折り目１０９，１１０で９０度谷折りするとともに、上壁部３の後方糊代板１０を第１２折り目１１２で９０度谷折りしておいて、後蓋８を第６折り目１０６で９０度谷折りすることにより、後方糊代板１０の外面に後蓋８の内面を接着する。これにより、図９に示すように、内部空間１ａの後方開口が閉塞される。
【００４４】
最後に、右壁部６および左壁部５の各前フラップ１１ａ，１１ｂを第７、第８折り目１０７，１０８で９０度谷折りしておいて、下壁部４の前蓋７の蓋本体７ｂを第５折り目１０５で９０度谷折りするとともに、前蓋７の貼付片７ａを第１３折り目１１３で９０度谷折りしてから、上壁部３においてコ字形の切取ミシン目３ｄの内側の領域３ｃの外面に前蓋７の貼付片７ａの内面を適宜の接着剤を用いて接着する。これにより、図１０に示すように、内部空間１ａの前方開口が閉塞される。
【００４５】
ところで、前蓋７で前方開口を閉塞する前に、周壁２で囲む内部空間１ａに主収容物２０を収容し、ポケット１４にシート状物体３０を差し入れる必要がある。特に、シート状物体３０の差し入れタイミングとしては、図７に示すように内板１３を接着した後で行うのが好ましい。その理由を説明する。
【００４６】
そもそも、包装容器１を組み立てる前では上壁部３においてコ字形の切取ミシン目３ｄの前蓋７寄りの領域３ｃが切り取られていない関係より、ポケット１４の前蓋７側が外側に露呈するようになっていないので、このポケット１４にシート状物体３０を差し入れにくいと言える。
【００４７】
しかし、図７の状態では、内板１３の孔１３ａから上壁部３の前記領域３ｃの内面が上向きに露呈しているために、前記孔１３ａから露呈している前記領域３ｃが、シート状物体３０を孔１３ａの縁から前記ポケット１４となる隙間に差し入れるときのガイドとなるので、シート状物体３０を差し入れやすくなると言える。
【００４８】
しかも、上記しているように内板１３の前記３ヶ所を上壁部３に接着することによってポケット１４の後蓋８側（シート状物体３０の差し入れ方向先端側）を閉塞しているので、シート状物体３０をポケット１４内の奥まで差し入れるだけで、当該シート状物体３０の差し入れ方向後端側をポケット１４の外側に露呈させたままの状態にすることが可能になる。
【００４９】
このようにして組み立てられた包装容器１を開封するには、前蓋７の貼付片７ａを引っ張って捲ると、上壁部３においてコ字形の切取ミシン目３ｄの内側の領域３ｃが前蓋７の内面に接着されているために、前蓋７と共に当該領域３ｃが切取ミシン目３ｄから切り取られることになる。
【００５０】
このようにして前記領域３ｃが切り取られると、当該切り取り跡が孔１３ａと連なって上壁部３の前蓋７側に後蓋８側へ入り込む切り欠き３ａを作るようになる。これにより、要するに、前蓋７を開放すると、ポケット１４に差し入れられているシート状物体３０の差し入れ方向後端側が切り欠き３ａおよび内板１３の孔１３ａから外側と内側との両方に露呈されることになる。
【００５１】
そして、シート状物体３０をポケット１４から取り出すと、内板１３における前蓋７側の領域が切り欠き３ａから外側に露呈される状態になる。また、前蓋７が開放されている状態では、当然ながら、包装容器１の内部空間１ａから主収容物２０を取り出すことが可能になる。
【００５２】
ところで、前記開封した包装容器１に、前記取り出した主収容物２０やシート状物体３０を収容する場合には、それらを収容した後で、図１１に示すように、前蓋７の貼付片７ａを上壁部３に向けて倒して、当該貼付片７ａの爪状係止片７ｃをポケット１４の前方開口側に差し入れて爪状係止片７ｃの両側の切り込み７ｄを上壁部３に挟みつけるようにする。これにより、前蓋７が閉じたままの状態に保持されることになる。
【００５３】
このようにした状態であれば、前蓋７が勝手に開かなくなるので、包装容器１を取り扱いやすくなる。
【００５４】
この後、再度、包装容器１から主収容物２０やシート状物体３０を取り出したいときには、前蓋７を引っ張るだけで、貼付片７ａの爪状係止片７ｃがポケット１４から引き出されることになって、包装容器１の前方開口を開放させることが可能になる。
【００５５】
以上説明したように本発明を適用した実施形態の包装容器１は、その内部空間１ａに主収容物２０を収容し、ポケット１４にシート状物体３０を収容することが可能になる。
【００５６】
このように、主収容物２０とシート状物体３０とが別々に振り分けられて収容されることになるので、包装容器１の前方開口を開封して、その内部空間１ａから主収容物２０を取り出す際に、当該主収容物２０と一緒にシート状物体３０が取り出されなくなるなど、取扱い易くなる。
【００５７】
しかも、前蓋７を開放すると、ポケット１４内に差し入れられているシート状物体３０の差し入れ方向後端側が上壁部３における切り欠き３ａから外側と内側との両方に露呈するようになっているので、このシート状物体３０をその厚み方向両方から掴みやすくなって比較的簡単に引っ張り出せるようになるなど、取扱い易くなる。
【００５８】
このように、本発明によれば、使い勝手の良い包装容器を提供することができる。
【００５９】
ところで、この実施形態の包装容器１の場合、図７に示すようにブランク１００の内板１３のみを折り曲げて接着することによりポケット１４を作った状態において、このポケット１４にシート状物体３０を収容するようにすれば、上壁部３の内面が内板１３の孔１３ａから上向きに露呈するので、ここからポケット１４にシート状物体３０を比較的容易に差し入れることが可能になる。
【００６０】
さらに、前記ポケット１４である隙間における後蓋側つまりシート状物体３０の差し入れ方向先端側が閉塞されているので、ポケット１４にシート状物体３０を差し入れるときに、当該シート状物体３０が前記隙間からなるポケット１４内の奥に入り込み過ぎるという不具合が回避されるようになる。
【００６１】
なお、本発明は、上記実施形態のみに限定されるものではなく、特許請求の範囲内および当該範囲と均等の範囲内で適宜に変更することが可能である。
【００６２】
（１）上記実施形態では、周壁２を４つの壁部３，４，５，６で構成した例を挙げているが、本発明はこれのみに限定されるものではなく、図示していないが、周壁２は例えば５つの壁部またはそれ以上の壁部で構成されていてもかまわない。
【００６３】
（２）上記実施形態では、包装容器１を横置きあるいは横長タイプの場合を例に挙げているが、本発明はこれのみに限定されるものではなく、図示していないが、例えば縦置きあるいは縦長タイプの包装容器とすることが可能である。
【産業上の利用可能性】
【００６４】
本発明は、角筒形の周壁の一方開口および他方開口がそれぞれ蓋で閉塞されかつ主収容物およびシート状物体が収容される包装容器に好適に利用することが可能である。
【符号の説明】
【００６５】
１      包装容器
１ａ    内部空間
２      周壁
３      上壁部（第１壁部）
３ａ    切り欠き
３ｂ    前端側の切取ミシン目
３ｃ    切取可能な領域
４      下壁部（第２壁部）
５      左壁部
６      右壁部
７      前蓋
７ａ    貼付片
７ｂ    蓋本体
８      後蓋
１３      内板
１３ａ    孔
１４      ポケット
２０      主収容物
３０      シート状物体
【図１】
0006279509.tif 000002
【図２】
0006279509.tif 000003
【図３】
0006279509.tif 000004
【図４】
0006279509.tif 000005
【図５】
0006279509.tif 000006
【図６】
0006279509.tif 000007
【図７】
0006279509.tif 000008
【図８】
0006279509.tif 000009
【図９】
0006279509.tif 000010
【図１０】
0006279509.tif 000011
【図１１】
0006279509.tif 000012